(57)【要約】【課題】  撮影した画像から顔を検出して確認する操作が容易な撮影装置及び画像表示制御方法を提供する。【解決手段】  顔検出制御ボタン４６は、撮影モード時には顔検出のＯＮ／ＯＦＦを設定するためのボタンとして機能し、撮影画像のプレビュー時及び再生モード時には画像中の顔を選択するためのボタンとして機能する。更に、顔検出制御ボタン４６は、撮影画像及び撮影画像から検出された顔画像のプレビューを終了するためのボタンとして機能する。なお、撮影モード時には、顔検出のＯＮ／ＯＦＦを示すアイコン等を液晶モニタ３０に表示するようにしてもよい。【選択図】      図１
2008028959.tif 000002
【特許請求の範囲】
【請求項１】
被写体の画像を撮影する撮影手段と、
前記撮影手段により撮影された撮影画像を表示する表示手段と、
前記撮影画像から被写体の人物の顔を検出する顔検出手段と、
前記顔検出手段による顔検出処理のオン／オフを設定するための指令を与える顔検出制御用操作部材と、
顔検出処理がオンに設定されているときに撮影された撮影画像に対して前記顔検出手段を制御して顔検出処理を実行し、前記撮影画像から検出された顔領域を含む顔画像を前記表示手段に表示させる表示制御手段と、
を備えることを特徴とする撮影装置。
【請求項２】
被写体の画像を撮影する撮影手段と、
前記撮影手段により撮影された撮影画像を表示する表示手段と、
前記撮影画像から被写体の人物の顔を検出する顔検出手段と、
前記撮影手段により画像を撮影するときの撮影モードを設定するための撮影モード設定手段と、
前記顔検出手段による顔検出処理のオン／オフを設定するための指令を与える顔検出制御用操作部材と、
顔検出処理が有効な撮影モードに設定されており、且つ、顔検出処理がオンに設定されているときに撮影された撮影画像に対して前記顔検出手段を制御して顔検出処理を実行し、前記撮影画像から検出された顔領域を含む顔画像を前記表示手段に表示させる表示制御手段と、
を備えることを特徴とする撮影装置。
【請求項３】
前記表示制御手段は、前記撮影画像の撮影後のプレビュー表示時に前記顔画像を前記表示手段に表示させ、
前記顔検出制御用操作部材からの指令に応じて前記プレビュー表示を終了する表示切替手段を更に備えることを特徴とする請求項１又は２記載の撮影装置。
【請求項４】
前記撮影画像から複数の顔領域が検出された場合に、前記顔検出制御用操作部材からの指令に応じて、前記顔画像を他の顔画像に切り替える顔画像切替手段を更に備えることを特徴とする請求項１から３のいずれか１項記載の撮影装置。
【請求項５】
前記表示制御手段は、前記顔画像と前記撮影画像とを前記表示手段に同時に表示することを特徴とする請求項１から４のいずれか１項記載の撮影装置。
【請求項６】
前記顔検出制御用操作部材は、前記顔画像の表示時には使用しない他の操作部材と兼用されることを特徴とする請求項１から５のいずれか１項記載の撮影装置。
【請求項７】
前記顔検出手段は、前記顔画像の高さ及び幅方向の画素数がそれぞれ前記表示手段の顔画像を表示する領域の高さ及び幅方向の画素数以上になるように、前記顔画像の高さ及び幅を調整することを特徴とする請求項１から６のいずれか１項記載の撮影装置。
【請求項８】
前記表示制御手段は、前記顔検出手段により検出された被写体の顔領域を含む所定のサイズの領域を前記撮影画像から切り出して前記表示手段に表示し、前記顔領域を含む領域が前記撮影画像の端部にかかる場合には、前記顔領域を含む領域を前記撮影画像の端部に合わせて縮小することを特徴とする請求項１から７のいずれか１項記載の撮影装置。
【請求項９】
被写体の画像を撮影する撮影工程と、
顔検出処理のオン／オフを設定するための指令を与える顔検出制御用操作部材により、顔検出処理のオン／オフを設定する工程と、
前記顔検出処理がオンに設定されているときに撮影された撮影画像に対して、前記被写体の顔領域を検出する顔検出処理を実行し、前記撮影画像から検出された顔領域を含む顔画像を表示手段に表示する表示制御工程と、
を備えることを特徴とする画像表示制御方法。
【請求項１０】
被写体の画像を撮影する撮影工程と、
前記画像を撮影するときの撮影モードを設定するための撮影モード設定工程と、
顔検出処理のオン／オフを設定するための指令を与える顔検出制御用操作部材により、顔検出処理のオン／オフを設定する工程と、
前記顔検出処理が有効な撮影モードに設定されており、且つ、顔検出処理がオンに設定されているときに撮影された撮影画像に対して、前記被写体の顔領域を検出する顔検出処理を実行し、前記撮影画像から検出された顔領域を含む顔画像を表示手段に表示する表示制御工程と、
を備えることを特徴とする画像表示制御方法。
【請求項１１】
前記表示制御工程では、前記撮影画像の撮影後のプレビュー表示時に前記顔画像を表示し、
前記顔検出制御用操作部材からの指令に応じて前記プレビュー表示を終了する表示切替工程を更に備えることを特徴とする請求項９又は１０記載の画像表示制御方法。
【請求項１２】
前記撮影画像から複数の顔領域が検出された場合に、前記顔検出制御用操作部材からの指令に応じて、前記顔画像を他の顔画像に切り替える顔画像切替工程を更に備えることを特徴とする請求項９から１１のいずれか１項記載の画像表示制御方法。
【請求項１３】
前記表示制御工程では、前記顔画像と前記撮影画像とを同時に前記表示手段に表示することを特徴とする請求項９から１２のいずれか１項記載の画像表示制御方法。
【請求項１４】
前記表示制御工程は、前記顔画像の高さ及び幅方向の画素数がそれぞれ前記表示手段の顔画像を表示する領域の高さ及び幅方向の画素数以上になるように、前記顔画像の高さ及び幅を調整する工程を含むことを特徴とする請求項９から１３のいずれか１項記載の画像表示制御方法。
【請求項１５】
前記表示制御工程は、
前記顔検出処理により検出された被写体の顔領域を含む所定のサイズの領域を前記撮影画像から切り出して前記表示手段に表示する工程と、
前記顔領域を含む領域が前記撮影画像の端部にかかる場合には、前記顔領域を含む領域を前記撮影画像の端部に合わせて縮小する工程と、
を含むことを特徴とする請求項９から１４のいずれか１項記載の画像表示制御方法。
【発明の詳細な説明】
【技術分野】
【０００１】
本発明は撮影装置及び画像表示制御方法に係り、特に被写体の人物の顔を検出する技術に関する。
【背景技術】
【０００２】
従来、撮影した画像の中から被写体の人物の顔を検出し、拡大表示する技術が提案されている。例えば、特許文献１には、画面に表示される画像の中から、人の顔などの注目被写体を検出し、検出された注目被写体の位置や大きさ等に従って、この注目被写体を拡大表示するための表示画面や拡大率を決定し、決定された表示画面や拡大率に従って画面に拡大表示を行う拡大表示装置について開示されている。また、特許文献２には、画像に顔の画像が含まれている場合に、顔の画像部分を拡大できるディジタル・スチル・カメラについて開示されている。
【特許文献１】特開２００５−３１１８８８号公報
【特許文献２】特開２００５−３１８５１５号公報
【発明の開示】
【発明が解決しようとする課題】
【０００３】
ところで、従来の技術では、撮影した画像から顔を検出して拡大表示させて確認した後に、再び撮影に移行するのは操作が煩雑であり、連続して画像を撮影しているときに、顔の写り具合を確認するのには適していなかった。また、電子カメラや携帯電話のように、マウスのようなポインティングデバイスを有しない端末では、画像から複数の顔が検出された場合、検出された複数の顔の中から特定の顔を選択する操作が煩雑であった。例えば、十字ボタンを用いて顔を選択する場合に、画像中の顔の並びが不揃いであると、所望の顔にカーソルを移動させるために十字ボタンのどのボタンを押せばよいのかわかりにくいという問題があった。
【０００４】
本発明はこのような事情に鑑みてなされたもので、撮影した画像から顔を検出して確認する操作が容易な撮影装置及び画像表示制御方法を提供することを目的とする。
【課題を解決するための手段】
【０００５】
上記課題を解決するために、本発明の請求項１に係る撮影装置は、被写体の画像を撮影する撮影手段と、前記撮影手段により撮影された撮影画像を表示する表示手段と、前記撮影画像から被写体の人物の顔を検出する顔検出手段と、前記顔検出手段による顔検出処理のオン／オフを設定するための指令を与える顔検出制御用操作部材と、顔検出処理がオンに設定されているときに撮影された撮影画像に対して前記顔検出手段を制御して顔検出処理を実行し、前記撮影画像から検出された顔領域を含む顔画像を前記表示手段に表示させる表示制御手段とを備えることを特徴とする。
【０００６】
請求項１に係る発明によれば、顔の検出処理のオン／オフの切り替えのための専用の操作部材を設けることにより、顔検出処理に係る操作を簡略化することができる。
【０００７】
請求項２に係る撮影装置は、被写体の画像を撮影する撮影手段と、前記撮影手段により撮影された撮影画像を表示する表示手段と、前記撮影画像から被写体の人物の顔を検出する顔検出手段と、前記撮影手段により画像を撮影するときの撮影モードを設定するための撮影モード設定手段と、前記顔検出手段による顔検出処理のオン／オフを設定するための指令を与える顔検出制御用操作部材と、顔検出処理が有効な撮影モードに設定されており、且つ、顔検出処理がオンに設定されているときに撮影された撮影画像に対して前記顔検出手段を制御して顔検出処理を実行し、前記撮影画像から検出された顔領域を含む顔画像を前記表示手段に表示させる表示制御手段とを備えることを特徴とする。
【０００８】
請求項２に係る発明によれば、顔の検出処理のオン／オフの切り替えのための専用の操作部材を設けることにより、顔検出処理に係る操作を簡略化することができる。また、顔検出処理が有効な撮影モード時にのみ顔検出処理を行い、顔検出処理が無効な撮影モード時には行わないことにより、顔検出処理の操作を簡略化できる。
【０００９】
請求項３に係る発明は、請求項１又は２記載の撮影装置において、前記表示制御手段は、前記撮影画像の撮影後のプレビュー表示時に前記顔画像を前記表示手段に表示させ、前記顔検出制御用操作部材からの指令に応じて前記プレビュー表示を終了する表示切替手段を更に備えることを特徴とする。
【００１０】
請求項３に係る発明によれば、顔検出制御用操作部材を顔画像の表示を終了させるための操作部材とすることにより操作をより簡略化できる。
【００１１】
請求項４に係る発明は、請求項１から３記載の撮影装置において、前記撮影画像から複数の顔領域が検出された場合に、前記顔検出制御用操作部材からの指令に応じて、前記顔画像を他の顔画像に切り替える顔画像切替手段を更に備えることを特徴とする。
【００１２】
請求項４に係る発明によれば、顔画像の切り替え操作も顔検出制御用操作部材により行えるので顔検出操作をより簡略化できる。
【００１３】
請求項５に係る発明は、請求項１から４記載の撮影装置において、前記表示制御手段は、前記顔画像と前記撮影画像とを前記表示手段に同時に表示することを特徴とする。
【００１４】
請求項５に係る発明によれば、撮影画像と顔画像とを同時に表示させることにより、フォーカスや露出の具合、被写体の人物の表情を確認した上で次の撮影に移行する操作が容易になる。
【００１５】
請求項６に係る発明は、請求項１から５記載の撮影装置において、前記顔検出制御用操作部材が前記顔画像の表示時には使用しない他の操作部材と兼用されることを特徴とする。
【００１６】
請求項６に係る発明によれば、顔検出制御用操作部材を、他の操作部材と兼用することにより、撮影装置を構成する操作部材の個数を減らして操作部材の構成を簡略化できるので、顔検出の操作をより容易にすることができる。
【００１７】
請求項７に係る発明は、請求項１から６記載の撮影装置において、前記顔検出手段は、前記顔画像の高さ及び幅方向の画素数がそれぞれ前記表示手段の顔画像を表示する領域の高さ及び幅方向の画素数以上になるように、前記顔画像の高さ及び幅を調整することを特徴とする。
【００１８】
請求項７に係る発明によれば、顔画像の高さ及び幅方向の画素数がそれぞれ顔を表示する領域の高さ及び幅方向の画素数以上になるようにすることにより、表示手段の解像度を最大限に活用することができる。例えば、顔領域が表示手段に比べて小さい場合に、画素の補間等を行って拡大表示すると、拡大表示がぼけてしまい、フォーカス等の確認が困難になるおそれがあるが、これを回避できる。これにより、検出画像の確認をより容易に行うことができる。
【００１９】
請求項８に係る発明は、請求項１から７記載の撮影装置において、前記表示制御手段は、前記顔検出手段により検出された被写体の顔領域を含む所定のサイズの領域を前記撮影画像から切り出して前記表示手段に表示し、前記顔領域を含む領域が前記撮影画像の端部にかかる場合には、前記顔領域を含む領域を前記撮影画像の端部に合わせて縮小することを特徴とする。
【００２０】
請求項８に係る発明によれば、撮影画像のサイズに合わせて、切り出す顔画像のサイズを調整する処理を自動化できるので、検出画像の確認をより容易に行うことができる。
【００２１】
請求項９に係る画像表示制御方法は、被写体の画像を撮影する撮影工程と、顔検出処理のオン／オフを設定するための指令を与える顔検出制御用操作部材により、顔検出処理のオン／オフを設定する工程と、前記顔検出処理がオンに設定されているときに撮影された撮影画像に対して、前記被写体の顔領域を検出する顔検出処理を実行し、前記撮影画像から検出された顔領域を含む顔画像を表示手段に表示する表示制御工程とを備えることを特徴とする。
【００２２】
請求項１０に係る画像表示制御方法は、被写体の画像を撮影する撮影工程と、前記画像を撮影するときの撮影モードを設定するための撮影モード設定工程と、顔検出処理のオン／オフを設定するための指令を与える顔検出制御用操作部材により、顔検出処理のオン／オフを設定する工程と、前記顔検出処理が有効な撮影モードに設定されており、且つ、顔検出処理がオンに設定されているときに撮影された撮影画像に対して、前記被写体の顔領域を検出する顔検出処理を実行し、前記撮影画像から検出された顔領域を含む顔画像を表示手段に表示する表示制御工程とを備えることを特徴とする。
【００２３】
請求項１１に係る発明は、請求項９又は１０記載の画像表示制御方法において、前記表示制御工程では、前記撮影画像の撮影後のプレビュー表示時に前記顔画像を表示し、前記顔検出制御用操作部材からの指令に応じて前記プレビュー表示を終了する表示切替工程を更に備えることを特徴とする。
【００２４】
請求項１２に係る発明は、請求項９から１１記載の画像表示制御方法において、前記撮影画像から複数の顔領域が検出された場合に、前記顔検出制御用操作部材からの指令に応じて、前記顔画像を他の顔画像に切り替える顔画像切替工程を更に備えることを特徴とする。
【００２５】
請求項１３に係る発明は、請求項９から１２記載の画像表示制御方法において、前記表示制御工程では、前記顔画像と前記撮影画像とを同時に前記表示手段に表示することを特徴とする。
【００２６】
請求項１４に係る発明は、請求項９から１３記載の画像表示制御方法において、前記表示制御工程は、前記顔画像の高さ及び幅方向の画素数がそれぞれ前記表示手段の顔画像を表示する領域の高さ及び幅方向の画素数以上になるように、前記顔画像の高さ及び幅を調整する工程を含むことを特徴とする。
【００２７】
請求項１５に係る発明は、請求項９から１４記載の画像表示制御方法において、前記表示制御工程は、前記顔検出処理により検出された被写体の顔領域を含む所定のサイズの領域を前記撮影画像から切り出して前記表示手段に表示する工程と、前記顔領域を含む領域が前記撮影画像の端部にかかる場合には、前記顔領域を含む領域を前記撮影画像の端部に合わせて縮小する工程とを含むことを特徴とする。
【発明の効果】
【００２８】
本発明によれば、顔の検出処理のオン／オフの切り替え操作、顔画像の切り替え操作、次の撮影に移行するための専用の操作部材を設けることにより、顔検出処理に係る操作を簡略化することができる。また、撮影画像と顔画像とを同時に表示させることにより、フォーカスや露出の具合、被写体の人物の表情を確認した上で次の撮影に移行する操作が容易に行える。
【発明を実施するための最良の形態】
【００２９】
［第１の実施形態］
以下、添付図面に従って本発明に係る撮影装置及び画像表示制御方法の好ましい実施の形態について説明する。図１（ａ）は本発明の第１の実施形態に係る撮影装置の正面の外観を示す図であり、図１（ｂ）はその背面の外観を示す図である。撮影装置１０は、静止画や動画の記録及び再生機能を備えた電子カメラである。撮影装置１０のカメラボディ１２は、扁平状の四角い箱型に形成されている。図１（ａ）に示すように、カメラボディ１２の正面には、撮影レンズ１４、ストロボ１６、ＡＦ補助光ランプ１８、セルフタイマーランプ２０及びスピーカ２２が設けられており、上面には、レリーズボタン２４、モードダイアル２６及び電源ボタン２８が設けられている。図１（ｂ）に示すように、カメラボディ１２の背面には、液晶モニタ３０、ズームレバー３２、インジケータランプ３４、再生ボタン３６、ファンクションボタン３８、ＯＫ／ＭＥＮＵボタン４０、十字ボタン４２、ＤＩＳＰ／ＢＡＣＫボタン４４及び顔検出制御ボタン４６が設けられている。
【００３０】
電源ボタン２８は、撮影装置１０の電源をオン／オフするためのボタンとして機能する。
【００３１】
撮影レンズ１４は、沈胴式のズームレンズで構成されており、撮影装置１０の電源をオンにすることにより、カメラボディ１２の正面から繰り出される。そして、撮影装置１０の電源をオフにすることにより、カメラボディ１２内に沈胴する。
【００３２】
レリーズボタン２４は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮影が実行される。
【００３３】
カメラボディ１２の背面に設けられた液晶モニタ３０は、撮影した画像の再生用モニタとして使用されるとともに、撮影時には電子ビューファインダとして使用される。ＤＩＳＰ／ＢＡＣＫボタン４４は、この電子ビューファインダのオン／オフを切り替えるボタンとして機能する。また、液晶モニタ３０は、ユーザインターフェース用表示画面としても利用され、必要に応じてメニュー情報や選択項目、設定内容等の情報が表示される。なお、液晶モニタ３０に代えて、有機ＥＬ（electro-luminescence）等の他の方式の表示装置を用いることも可能である。
【００３４】
撮影装置１０は、画像を撮影するための撮影モードと、画像を再生するための再生モードの２つの動作モードを有している。再生ボタン３６は、撮影モードから再生モードに切り替えるためのボタンとして機能し、撮影モード時に再生ボタン３６を押圧操作することにより、動作モードが撮影モードから再生モードに切り替わる。なお、再生モードから撮影モードへの切替は、再生モード時にレリーズボタン２４を半押しすることにより行われる。
【００３５】
インジケータランプ３４は、カメラの動作状態（例えば、ＡＦロック中、画像記録中、充電中）を表示するためのランプとして機能する。
【００３６】
モードダイアル２６は、撮影装置１０の撮影モードを切り替えるスイッチとして機能し、その設定位置によってシーンポジション（例えば、ナチュラルフォト、人物、風景、スポーツ、夜景、水中撮影、接写（花等）又はテキスト文章撮影）に応じてフォーカスや露出を最適化して撮影するためのシーンポジションモード、フォーカスや露出を自動的に設定するオート撮影モード、フォーカスや露出をマニュアルで設定可能なマニュアル撮影モード又は動画撮影モードに切り替えられる。
【００３７】
ズームレバー３２は、左右方向に揺動自在なシーソーボタンで構成されており、ズーム操作時の操作ボタンとして機能する。即ち、撮影モードの下、このズームレバー３２を右方向に操作することにより、ズームがテレ方向に操作され、左方向に操作することにより、ズームがワイド方向に操作される。また、ズームレバー３２は、再生モードの下、ズームレバー３２を右方向に操作することにより、再生画像が拡大表示され、左方向に操作することにより、再生画像が縮小表示される。
【００３８】
ＯＫ／ＭＥＮＵボタン４０は、メニュー画面の表示を指示するボタンとして機能し、このＯＫ／ＭＥＮＵボタン４０が押されることにより、液晶モニタ３０にメニュー画面が表示される。また、このＯＫ／ＭＥＮＵボタン４０は、メニュー画面から選択した項目の確定や動作の実行を指示するボタンとして機能し、ＤＩＳＰ／ＢＡＣＫボタン４４は、メニュー画面で選んだ項目の取消や１つ前の状態に戻すことを指示するボタンとして機能する。
【００３９】
十字ボタン４２は、図１（ｂ）に示すように、上下左右に揺動可能なシーソーボタンであり、ＯＫ／ＭＥＮＵボタン４０を囲むように形成されている。十字ボタン４２は、上ボタン４２Ｕ、下ボタン４２Ｂ、左ボタン４２Ｌ及び右ボタン４２Ｒにより構成され、再生モード時に再生スルームービー画像を選択したり、メニュー画面において項目の選択状態を示すカーソルを移動するカーソルシフトキーとして機能する。即ち、再生モードの下、左ボタン４２Ｌは、コマ戻しボタン（１コマ前の画像が表示されるように指示するボタン）として機能し、右ボタン４２Ｒは、コマ送りボタン（１コマ後の画像が表示されるように指示するボタン）として機能する。
【００４０】
また、左ボタン４２Ｌは、静止画又は動画撮影モードの下、マクロ機能（接写機能）のオン／オフを切り替えるマクロモードボタンとして機能し、左ボタン４２Ｌを押圧操作することにより、マクロ機能がオン又はオフされる。
【００４１】
また、右ボタン４２Ｒは、静止画又は動画撮影モードの下、フラッシュモードを切り替えるボタンとして機能し、右ボタン４２Ｒを押圧操作することにより、フラッシュモードがフラッシュ発光／発光禁止の各モードに設定される。
【００４２】
また、上ボタン４２Ｕは、再生モードの下、画像を１コマ消去するための１コマ消去ボタンとして機能する。
【００４３】
また、下ボタン４２Ｂは、撮影モードの下、セルフタイマー撮影の条件を設定するためのボタンとして機能し、撮影モード時に下ボタン４２Ｂが押下されるごとに、セルフタイマーのオン／オフが切り替えられる。
【００４４】
ファンクションボタン３８は、撮影モード時には記録画素数や撮影感度、色調を設定するためのボタンとして機能し、再生モード時にはプリント予約を設定するためのボタンとして機能する。
【００４５】
顔検出制御ボタン４６は、撮影モード時には顔検出のオン／オフを設定するためのボタンとして機能し、撮影画像のプレビュー時及び再生モード時には画像中の顔を選択するためのボタンとして機能する。更に、顔検出制御ボタン４６は、撮影画像及び撮影画像から検出された顔画像のプレビューを終了するためのボタンとして機能する。なお、撮影モード時には、顔検出のオン／オフを示すアイコン等を液晶モニタ３０に表示するようにしてもよい。
【００４６】
［撮影装置１０の内部構成］
図２は、撮影装置１０の内部構成を示すブロック図である。図２に示すように、撮影装置１０は、中央処理装置（ＣＰＵ）５０を備えており、撮影装置１０全体の動作はＣＰＵ５０によって統括制御される。ＣＰＵ５０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。
【００４７】
ＣＰＵ５０には、バス（ＢＵＳ）５２を介してフラッシュＲＯＭ（flash Read オンly Memory）５４が接続されている。フラッシュＲＯＭ５４には、ＣＰＵ５０が実行するプログラム及び制御に必要な各種データ等が格納されるとともに、ＣＣＤ画素欠陥情報、カメラ動作に関する各種定数／情報等が格納される。
【００４８】
また、ＲＡＭ（Random Access Memory）５６は、プログラムの展開領域及びＣＰＵ５０の演算作業用領域として利用されるとともに、画像データや音声データの一時記憶領域として利用される。また、ＲＡＭ５６は、画像データ専用の一時記憶メモリであるＶＲＡＭ（Video Random Access Memory）としても利用され、Ａ領域とＢ領域を含んでいる。
【００４９】
操作部５８は、上記したレリーズボタン２４、モードダイアル２６、電源ボタン２８、ズームレバー３２、インジケータランプ３４、再生ボタン３６、ファンクションボタン３８、ＯＫ／ＭＥＮＵボタン４０、十字ボタン４２、ＤＩＳＰ／ＢＡＣＫボタン４４及び顔検出制御ボタン４６等の各種の操作スイッチを含んでいる。なお、図２では、レリーズボタン２４、マクロモードボタン４２Ｌ、電源ボタン２８及び顔検出制御ボタン４６以外の操作スイッチは省略されている。これら各種の操作スイッチからの信号はＣＰＵ５０に入力される。ＣＰＵ５０は、この入力信号に基づいて撮影装置１０の各回路を制御し、例えば、レンズ駆動制御、撮影動作制御、画像処理制御、画像データの記録／再生制御、液晶モニタ３０の表示制御等を行う。
【００５０】
撮影装置１０は、図示せぬメディアソケット（メディア装着部）を有し、メディアソケットには記録メディア６０を装着することができる。記録メディア６０の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。メディア制御回路６２は、記録メディア６０に適した入出力信号の受渡しを行うために所要の信号変換を行う。
【００５１】
また、撮影装置１０は、パーソナルコンピュータその他の外部機器と接続するための通信手段として外部接続インターフェース部を備えている。撮影装置１０は、図示せぬＵＳＢケーブル等を用いて撮影装置１０と外部機器を接続することにより、外部機器との間でデータの受渡しが可能となる。もちろん、通信方式はＵＳＢに限らず、IEEE1394やBluetooth（登録商標）、その他の通信方式を適用してもよい。
【００５２】
［撮影モード］
次に、撮影装置１０の撮影機能について説明する。撮影モード時には、光学系６４、光学系駆動部６４Ａ及びカラーＣＣＤ固体撮像素子７４（以下の説明では、ＣＣＤ７４と記載する）を含む撮像信号処理部６６に電源が供給され、撮影可能な状態になる。
【００５３】
光学系６４は、ズームレンズ６８及びフォーカスレンズ７０を含む撮影レンズと、絞り兼用メカシャッタ７２とを含む光学ユニットである。撮影レンズのズーミングはズームレンズ６８をズーム制御部６８Ａにより移動させることにより行われ、フォーカシングはフォーカスレンズ７０をフォーカス制御部７０Ａにより移動させることにより行われる。ＣＰＵ５０は、上記ズーム制御部６８Ａとフォーカス制御部７０Ａに制御信号を出力して制御する。
【００５４】
絞り７２は、いわゆるターレット型絞りにより構成されており、Ｆ２．８からＦ８の絞り孔が穿孔されたターレット板を回転させて絞り値（Ｆ値）を変化させる。この絞り７２の駆動は絞り制御部７２Ａによって行われる。ＣＰＵ５０は、この絞り制御部７２Ａに制御信号を出力して制御する。
【００５５】
また、光学系駆動部６４Ａは、光学系６４又はＣＣＤ７４を駆動して手振れ補正を行う手段を有している。
【００５６】
光学系６４を通過した光は、撮像信号処理部６６のＣＣＤ７４の受光面に結像される。ＣＣＤ７４の受光面には多数のフォトダイオード（受光素子）が２次元的に配列されており、各フォトダイオードに対応して赤（Ｒ）、緑（Ｇ）、青（Ｂ）の原色カラーフィルタが所定の配列構造で配置されている。ＣＣＤ７４は、各フォトダイオードの電荷蓄積時間（シャッタースピード）を制御する電子シャッター機能を有している。ＣＰＵ５０は、図示せぬタイミングジェネレータ（ＴＧ）を介してＣＣＤ７４における電荷蓄積時間を制御する。また、ＣＰＵ５０は、ＣＣＤ７４に対して、ＯＦＤ（Overflow Drain）の電位を制御して、ＣＣＤ７４を構成するフォトダイオードに蓄積される信号電荷の上限値を調整する。
【００５７】
ＣＣＤ７４の受光面に結像された被写体像は、各フォトダイオードによって入射光量に応じた量の信号電荷に変換される。各フォトダイオードに蓄積された信号電荷は、ＣＰＵ５０の指令に従いＴＧから与えられる駆動パルス（読み出しパルス、垂直転送クロック、水平転送クロック）に基づいて信号電荷に応じた電圧信号（画像信号）として順次読み出される。
【００５８】
ＣＣＤ７４から出力された信号は、アナログ信号処理部（ＣＤＳ／ＡＭＰ）７６に送られる。そして、画素ごとのＲ、Ｇ、Ｂ信号は、アナログ信号処理部７６においてサンプリングホールド（相関２重サンプリング処理）されて増幅された後、Ａ／Ｄ変換器（ＡＤＣ）７８に加えられる。Ａ／Ｄ変換器７８によりデジタル信号に変換された点順次のＲ、Ｇ、Ｂ信号はデジタル信号処理部８０に加えられる。
【００５９】
デジタル信号処理部８０は、同時化回路（単板ＣＣＤのカラーフィルタ配列に伴う色信号の空間的なズレを補間して色信号を同時式に変換する処理回路）、ホワイトバランス調整回路、ガンマ補正回路、輪郭補正回路、輝度・色差信号生成回路等を含む画像処理手段として機能し、ＣＰＵ５０からのコマンドに従ってＲＡＭ５６を活用しながら所定の信号処理を行う。即ち、デジタル信号処理部８０に入力されたＲＧＢの画像データは、輝度信号（Ｙ信号）及び色差信号（Ｃｒ、Ｃｂ信号）に変換されるとともに、ガンマ補正等の所定の処理が施される。デジタル信号処理部８０で処理された画像データはＲＡＭ５６に格納される。
【００６０】
撮影画像を液晶モニタ３０にモニタ出力する場合、ＲＡＭ５６から画像データが読み出され、バス５２を介してビデオエンコーダ８２に送られる。ビデオエンコーダ８２は、入力された画像データを表示用の所定方式のビデオ信号（例えば、ＮＴＳＣ方式のカラー複合画像信号）に変換して液晶モニタ３０に出力する。
【００６１】
ＣＣＤ７４から出力される画像信号によって、１コマ分の画像を表す画像データがＲＡＭ５６のＡ領域とＢ領域とで交互に書き換えられる。ＲＡＭ５６のＡ領域及びＢ領域のうち、画像データが書き換えられている方の領域以外の領域から、書き込まれている画像データが読み出される。このようにしてＲＡＭ５６内の画像データが定期的に書き換えられ、その画像データから生成される画像信号が液晶モニタ３０に供給されることにより、撮影中の映像がリアルタイムに液晶モニタ３０に表示される。撮影者は、液晶モニタ３０に表示される映像（スルームービー画）によって撮影画角を確認できる。
【００６２】
撮影スイッチが半押しされ、Ｓ１がオンすると、撮影装置１０はＡＥ及びＡＦ処理を開始する。即ち、ＣＣＤ７４から出力された画像信号はＡ／Ｄ変換後にバス５２を介してＡＦ検出回路８４並びにＡＥ・ＡＷＢ検出回路８６に入力される。
【００６３】
ＡＥ・ＡＷＢ検出回路８６は、１画面を複数の分割エリア（例えば、８×８又は１６×１６）に分割し、この分割エリアごとにＲＧＢ信号を積算する回路を含み、その積算値をＣＰＵ５０に提供する。ＣＰＵ５０は、ＡＥ・ＡＷＢ検出回路８６から得た積算値に基づいて被写体の明るさ（被写体輝度）を検出し、撮影に適した露出値（撮影ＥＶ値）を算出する。ＣＰＵ５０は、求めた露出値と所定のプログラム線図に従って、絞り値とシャッタースピードを決定し、これに従いＣＣＤ７４の電子シャッター及びアイリスを制御して適正な露光量を得る。
【００６４】
更に、ＣＰＵ５０は、必要に応じてストロボ制御回路８８にコマンドを送る。ストロボ制御回路８８は、図示しないメインコンデンサの充電制御や、ストロボ発光部（キセノン管、発光ダイオード等）１６への放電（発光）タイミングの制御等を行う。
【００６５】
また、ＡＥ・ＡＷＢ検出回路８６は、自動ホワイトバランス調整時に、分割エリアごとにＲＧＢ信号の色別の平均積算値を算出し、その算出結果をＣＰＵ５０に提供する。ＣＰＵ５０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００６６】
撮影装置１０におけるＡＦ制御は、例えば、画像信号のＧ信号の高周波成分が極大になるようにフォーカスレンズ７０を移動させるコントラストＡＦが適用される。即ち、ＡＦ検出回路８４は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００６７】
ＡＦ検出回路８４により求められた積算値のデータはＣＰＵ５０に通知される。ＣＰＵ５０は、フォーカス制御部７０Ａを制御してフォーカスレンズ７０を移動させながら、複数のＡＦ検出ポイントで焦点評価値（ＡＦ評価値）を演算し、評価値が極大となるレンズ位置を合焦位置として決定する。そして、ＣＰＵ５０は、求めた合焦位置にフォーカスレンズ７０を移動させるようにフォーカス制御部７０Ａを制御する。なお、ＡＦ評価値の演算はＧ信号を利用する態様に限らず、輝度信号（Ｙ信号）を利用してもよい。
【００６８】
なお、ＡＦ制御時には、ＣＣＤ７４により測光が行われ、測光値が所定値以下の場合には、ＡＦ補助光ランプ１８が点灯する。
【００６９】
撮影スイッチが半押しされ、Ｓ１オンによってＡＥ／ＡＦ処理が行われ、撮影スイッチが全押しされ、Ｓ２オンによって記録用の撮影動作がスタートする。Ｓ２オンに応動して取得された画像データはデジタル信号処理部８０において輝度／色差信号（Ｙ／Ｃ信号）に変換され、ガンマ補正等の所定の処理が施された後、ＲＡＭ５６に格納される。
【００７０】
ＲＡＭ５６に格納されたＹ／Ｃ信号は、圧縮伸張処理回路９０により所定のフォーマットに従って圧縮された後、メディア制御回路６２を介して記録メディア６０に記録される。例えば、静止画についてはＪＰＥＧ（Joint Photographic Experts Group）形式の画像ファイルとして記録される。
【００７１】
セルフタイマーランプ制御回路９４は、セルフタイマー撮影時に、セルフタイマーランプ２０を点灯、点滅又は消灯させることにより、撮影者に撮影の実行、終了等を報知する。
【００７２】
顔検出回路９２は、撮影された画像から被写体の人物の顔を検出する。顔検出処理の方式としては、例えば、原画像から肌色に指定した色と近い色を持つ画素を取り出し、取り出した領域を顔領域として検出するものがある。この顔検出処理は、例えば、肌色を他の色と区別するための色空間上で、あらかじめサンプリングした肌色の情報から色空間上の肌色の範囲を定め、各画素の色が定めた範囲に入っているか否かを判定することにより行われる。即ち、顔検出回路９２は、画像中から検出された肌色領域ごとに、顔らしさの評価値（顔らしさスコア）を算出して、この顔らしさスコアをＣＰＵ５０に出力する。ここで、顔らしさスコアは、顔検出回路９２により検出された領域が顔領域であるかどうかを示すパラメータであり、例えば、肌色の度合等により算出される。ＣＰＵ５０は、顔検出がオンの場合に、この顔らしさスコアが所定値以上の肌色領域を顔領域と判断し、液晶モニタ３０を制御して画像の顔領域の表示を行う。なお、顔領域の表示方法については後述する。
【００７３】
［再生モード］
再生モード時には、記録メディア６０に記録されている最終の画像ファイル（最後に記録された画像ファイル）の圧縮データが読み出される。最後の記録に係る画像ファイルが静止画ファイルの場合、この読み出された画像圧縮データは、圧縮伸張処理回路９０を介して非圧縮のＹＣ信号に伸張され、デジタル信号処理部８０及びビデオエンコーダ８２を介して表示用の信号に変換された後、液晶モニタ３０に出力される。これにより、当該画像ファイルの画像内容が液晶モニタ３０の画面上に表示される。
【００７４】
静止画の１コマ再生中（動画の先頭フレーム再生中も含む）に、十字ボタン４２の右ボタン又は左ボタンを操作することによって、再生対象の画像ファイルを切り換えること（順コマ送り／逆コマ送り）ができる。コマ送りされた位置の画像ファイルは記録メディア６０から読み出され、上記と同様にして静止画像や動画が液晶モニタ３０に再生表示される。
【００７５】
また、再生モード時に、パーソナルコンピュータやテレビ等の外部ディスプレイが外部接続インターフェース部を介して撮影装置１０に接続されている場合には、記録メディア６０に記録されている画像ファイルはビデオエンコーダ８２により処理されて、この外部ディスプレイに再生表示される。
【００７６】
音声処理回路９６は、音声ファイルや音声付き画像の再生時にスピーカ２２に音声信号を出力する。
【００７７】
［顔検出処理］
次に、撮影した画像から顔を検出してプレビュー表示を行う処理について、図３のフローチャートを参照して説明する。まず、撮影モードの下、顔検出制御ボタン４６により顔検出がオンに設定されて画像が撮影されると、撮影された画像に対して顔検出処理が実行される（ステップＳ１０）。即ち、顔検出回路９２により撮影画像ＰＩＣから肌色領域が検出され、その肌色の度合等に基づいて顔らしさスコアが検出されてＣＰＵ５０に出力される。ＣＰＵ５０は、上記顔らしさのスコアに基づいてこの肌色領域が顔領域かどうかを判断する。
【００７８】
次に、撮影された画像から顔領域が検出されなかった場合には（ステップＳ１２のＮｏ）、撮影画像ＰＩＣが所定時間（例えば、１秒から数秒）プレビュー表示された後（通常プレビュー、ステップＳ１４）、液晶モニタ３０がスルームービー画表示に移行し、次の画像の撮影が可能になる。
【００７９】
一方、撮影された画像から顔領域が検出された場合には（ステップＳ１２のＹｅｓ）、拡大表示する顔画像が選択されて（ステップＳ１６）、液晶モニタ３０に顔プレビュー画面が表示される（ステップＳ１８）。
【００８０】
図４は、顔プレビュー画面の構成例を示す図である。図４に示すように、顔プレビュー画面では、撮影画像ＰＩＣを表示するための撮影画像表示画面Ａ１０と、撮影画像ＰＩＣから検出された顔領域を含む顔画像を拡大表示するための顔拡大表示画面Ａ１２が同一の画面上に設けられている。また、図４に示すように、顔プレビュー画面の左下には、顔検出制御ボタン４６を押下すれば次の撮影に移行する旨のガイド表示が表示されている。なお、撮影画像表示画面Ａ１０と顔拡大表示画面Ａ１２との位置関係やサイズは、図４に限定されるものではなく、例えば、図５（ａ）から図５（ｃ）に示すように、表示されるようにしてもよい。なお、顔プレビュー画面における撮影画像表示画面Ａ１０と顔拡大表示画面Ａ１２との位置関係やサイズは、ユーザが選択可能になっていてもよい。
【００８１】
図４に示すように、撮影画像ＰＩＣからは３つの顔領域が検出されている。ＣＰＵ５０は、撮影画像ＰＩＣから複数の顔領域が検出された場合には、顔検出回路９２により算出された顔らしさスコア、顔領域のサイズ、位置に基づいて拡大表示すべき顔領域を自動的に選択する（ステップＳ１６）。顔領域の自動選択は、例えば、次の手順で行われる。まず、サイズが最大の顔領域が選択され、サイズが略同じ顔領域が複数ある場合には、撮影画像ＰＩＣの中心に近い位置にある顔領域が選択される。そして、サイズも撮影画像ＰＩＣの中心からの距離も略同じ場合には、顔らしさスコアが高い顔領域が選択される。
【００８２】
次に、図４に示すように、撮影画像ＰＩＣが撮影画像表示画面Ａ１０に表示されるとともに、ステップＳ１６で選択された顔領域を含む顔画像が撮影画像ＰＩＣから切り出されて顔拡大表示画面Ａ１２に拡大表示される。なお、顔画像を切り出す手順については後述する。撮影画像表示画面Ａ１０中の顔領域には枠が付されている。ステップＳ１６で選択された顔領域には、色付きの太い実線の枠Ｆ１０（例えば、赤（red））が付され、選択されていない顔領域には、例えば、白色（white）の細い実線又は点線の枠Ｆ２０が付されている。顔拡大表示画面Ａ１２の枠は枠Ｆ１０と同一の色になっている。
【００８３】
なお、顔拡大表示画面Ａ１２に表示された顔画像は、ズームレバー３２により拡大、縮小表示が可能である。
【００８４】
次に、顔プレビュー画面の表示中に顔検出制御ボタン４６が押下されると（ステップＳ２０のＹｅｓ）、撮影画像が記録メディア６０に保存されるとともに、液晶モニタ３０がスルームービー画表示に移行し、次の画像の撮影が可能になる。
【００８５】
本実施形態によれば、撮影モード時において顔の検出処理のオン／オフの切り替えと、次の撮影に移行するための専用の操作部材を設けることにより、顔検出処理に係る操作を簡略化することができる。また、顔プレビュー画面に撮影画像と顔領域の拡大画像とを同時に表示させることにより、フォーカスや露出の具合、被写体の人物の表情を確認した上で次の撮影に移行する操作が容易に行える。
【００８６】
なお、ステップＳ１２以降の処理において、顔検出オン時に撮影画像から顔領域が検出されなかった場合には、顔が検出されなかったことを示す表示を行ってもよいし、画像の特定の部分（例えば、中央部）を表示するようにしてもよい。
【００８７】
また、撮影された検出された顔領域の情報（例えば、位置、中心座標、高さ及び幅、向き）を画像の付加情報（例えば、ＥＸＩＦタグ）に保存するようにしてもよいし、顔領域の情報を、画像ファイルとは別の管理ファイル（メタファイル）に保存して一括して管理するようにしてもよい。更に、顔プレビュー画面を終了してスルームービー画表示に移行する際に、上記顔領域の画像を撮影画像とは別のファイルに保存するようにしてもよい。また、上記の顔領域の情報が保存された画像を再生する場合は、顔が検出された画像であることを示すアイコンを画像と一緒に表示するようにしてもよい。そして、画像の再生時には、顔検出処理を再度行わずに、上記顔領域の情報や顔画像のファイルを用いて、図４と同様の顔画像の拡大表示を行うことができる。
【００８８】
なお、本実施形態では、ステップＳ１８の顔プレビュー画面では撮影画像と顔画像を別々に表示するようにしてもよい。即ち、最初に撮影画像ＰＩＣをプレビュー表示し、顔検出制御ボタン４６が押下されると、選択された顔領域を含む顔画像を液晶モニタ３０に拡大表示する。ここで、撮影画像ＰＩＣの拡大表示時には、検出された顔領域に図４等と同様の枠が付される。これにより、顔画像を液晶モニタ３０全体に拡大表示させることができる。また、顔プレビュー画面では、顔画像をスーパーインポーズ表示するようにしてもよい。
【００８９】
［顔検出処理の別の実施形態］
次に、顔検出処理及び顔プレビュー表示処理の別の実施形態について、図６のフローチャートを参照して説明する。まず、撮影モードの下、顔検出制御ボタン４６により顔検出がオンに設定されて画像が撮影されると、撮影された画像に対して顔検出処理が実行される（ステップＳ３０）。即ち、顔検出回路９２により撮影画像から肌色領域が検出され、その肌色の度合等に基づいて顔らしさスコアが検出されてＣＰＵ５０に出力される。ＣＰＵ５０は、上記顔らしさのスコアに基づいてこの肌色領域が顔領域かどうかを判断する。
【００９０】
次に、撮影された画像から顔領域が検出されなかった場合には（ステップＳ３２のＮｏ）、撮影画像が所定時間（例えば、１秒から数秒）プレビュー表示された後（通常プレビュー、ステップＳ３４）、液晶モニタ３０がスルームービー画表示に移行し、次の画像の撮影が可能になる。
【００９１】
一方、撮影された画像から顔領域がｋ個検出された場合には（ステップＳ３２のＹｅｓ）、顔領域の順位付け処理が実行され、顔領域の情報が順位の高い順にソートされＲＡＭ５６に記憶される（ステップＳ３６）。以下の説明では、顔領域を順位の高い順にface(1), face(2), …, face(k)と記載する。ここで、顔領域の順位付け処理は、例えば、次の手順で行われる。まず、顔領域のサイズが大きい順に顔領域が順位付けされる。次に、サイズが略同じ顔領域が複数ある場合には、撮影画像の中心に近い順に顔領域が順位付けされる。そして、サイズも撮影画像の中心からの距離も略同じ顔領域がある場合には、顔らしさスコアが高い順に順位付けされる。
【００９２】
次に、拡大表示する顔領域を指定するパラメータiが１にセットされ、順位が１位の顔領域face(1)が選択される（ステップＳ３８）。そして、液晶モニタ３０に顔プレビュー画面が表示され、選択された顔領域face(1)を含む顔画像が撮影画像ＰＩＣから切り出されて拡大表示される（ステップＳ４０）。
【００９３】
図７は、本実施形態に係る顔プレビュー画面の構成例を示す図である。図７（ａ）に示すように、顔プレビュー画面において、撮影画像表示画面Ａ１０には撮影画像が表示され、顔拡大表示画面Ａ１２には顔領域face(1)を含む顔画像が撮影画像ＰＩＣから切り出されて拡大表示される。なお、顔画像を切り出す手順については後述する。撮影画像表示画面Ａ１０の顔領域face(1)〜face(3)には枠が付されており、顔拡大表示画面Ａ１２には撮影画像表示画面Ａ１０の顔領域face(1)と同一の色の枠が付されている。なお、拡大表示されていない顔領域face(2)及びface(3)には、例えば、白色（white）の細い実線又は点線の枠が付されている。
【００９４】
次に、顔検出制御ボタン４６が押下されると（ステップＳ４２のＹｅｓ）、パラメータiに１が加算されてi＝２となる（ステップＳ４４）。そして、パラメータi（＝２）が検出された顔の個数ｋ以下の場合には（ステップＳ４６のＮｏ）、図７（ｂ）に示すように、顔領域face(2)が選択されて顔拡大表示画面Ａ１２に拡大表示される（ステップＳ４０）。
【００９５】
上記ステップＳ４０からＳ４６の処理を繰り返して、顔領域face(i)の拡大表示が順次行われ、パラメータiがｋより大きくなった場合には（ステップＳ４６のＹｅｓ）、パラメータiが１に設定され（ステップＳ３８）、顔領域face(1)が顔拡大表示画面Ａ１２に拡大表示される（ステップＳ４０）。
【００９６】
そして、顔プレビュー画面の表示中に（ステップＳ４０）、ＯＫ／ＭＥＮＵボタン４０が押下されると（ステップＳ４２のＮｏ、ステップＳ４８のＹｅｓ）、撮影画像が記録メディア６０に保存されるとともに、液晶モニタ３０がスルームービー画表示に移行し、次の画像の撮影が可能になる。
【００９７】
本実施形態によれば、撮影モード時において顔の検出処理のオン／オフの切り替えと、顔プレビュー画面からスルームービー画への切り替えを行うための専用の操作部材を設けることにより、顔検出処理に係る操作を簡略化できる。また、顔プレビュー画面に撮影画像と顔領域の拡大表示とを同時に表示させることにより、フォーカスや露出の具合、被写体の人物の表情を確認した上で次の撮影に移行する操作が容易に行える。
【００９８】
なお、本実施形態では、ステップＳ４０の顔プレビュー画面では撮影画像と顔画像を別々に表示するようにしてもよい。即ち、最初に撮影画像ＰＩＣをプレビュー表示し、顔検出制御ボタン４６が押下されると、顔画像face(i)(i=1)を液晶モニタ３０に拡大表示する。ここで、撮影画像ＰＩＣの拡大表示時には、顔画像face(1)、…に図７と同様の枠が付される。そして、顔検出制御ボタン４６が押下されるごとに、パラメータiに１を加算して、顔領域face(2)、face(3)、…を順次拡大表示し、最後の顔画像face(k)の表示時に顔検出制御ボタン４６が押下されると、液晶モニタ３０を制御してスルームービー画表示に移行し、次の画像の撮影を可能にする。これにより、顔領域を液晶モニタ３０全体に拡大表示させることができる。また、顔プレビュー画面では、顔画像をスーパーインポーズ表示するようにしてもよい。
【００９９】
［顔領域の拡大表示処理］
次に、顔領域を拡大表示する手順について説明する。図８から図１１は、撮影画像ＰＩＣから顔領域を切り出す方法を示す説明図である。図８（ａ）及び図８（ｂ）に示すように、
ｋＨ：顔領域faceの高さ（画素数）、
ｋＷ：顔領域faceの幅（画素数）、
ｃＨ：撮影画像ＰＩＣから切り出して拡大表示する矩形領域Ｐ１０の高さの計算値（ＣＨ＝ｋＨ×ｍａｇ；ｍａｇは拡大表示する領域の範囲を示すパラメータで、本実施形態ではｍａｇ＝３）、
ｃＷ：撮影画像ＰＩＣから切り出して拡大表示する矩形領域Ｐ１０の幅の計算値（ＣＷ＝ｋＷ×ｍａｇ；本実施形態ではｍａｇ＝３）、
ｒｈ：顔拡大表示画面Ａ１２の高さ（画素数）、
ｒｗ：顔拡大表示画面Ａ１２の幅（画素数）、
（ｘ，ｙ）：顔領域の中心Ｃの座標（画素数）、
液晶モニタ３０の幅方向の画素数：ｄｗ、
液晶モニタ３０の高さ方向の画素数：ｄｈ、
撮影画像ＰＩＣの幅方向の画素数：ｐＷ、
撮影画像ＰＩＣの高さ方向の画素数：ｐＨ、
とする。
【０１００】
図８（ａ）に示すように、下記の条件１（式（１−１）及び（１−２））及び条件２（式（２−１）及び（２−２））を同時に満たす場合、即ち、点Ｃ（ｘ，ｙ）を中心とする高さｃＨ、幅ｃＷの矩形領域Ｐ１０が撮影画像ＰＩＣ内に収まっており、矩形領域Ｐ１０の高さｃＨ及び幅ｃＷ（画素数）がそれぞれ顔拡大表示画面Ａ１２の高さｒｈ及び幅ｒｗ以上の場合には、図８（ｂ）に示すように、撮影画像ＰＩＣから矩形領域Ｐ１０が顔拡大表示画面Ａ１２に表示すべき顔画像として切り出されて、顔プレビュー画面の顔拡大表示画面Ａ１２に拡大表示される。
【０１０１】
［条件１］
ｒｈ≦ｃＨ＜ｐＨ                              ・・・（１−１）
ｒｗ≦ｃＷ＜ｐＷ                              ・・・（１−２）
［条件２］
０．５×ｃＷ＜ｘ＜ｐＷ−０．５×ｃＷ          ・・・（２−１）
０．５×ｃＨ＜ｙ＜ｐＨ−０．５×ｃＨ          ・・・（２−２）
上記条件２を満たさない場合、ｃＨ＞ｐＨ又はｃＷ＞ｐＷのいずれかの場合には、図９（ａ）に示すように、矩形領域Ｐ１０が撮影画像ＰＩＣからはみ出してしまうため切り出す領域を調整する。まず、図９（ｂ−１）に示すように、矩形領域Ｐ１０が点Ｃ（ｘ，ｙ）を中心として撮影画像ＰＩＣに収まるように縮小される。そして、この縮小された矩形領域Ｐ１０’の高さｃＨ’及び幅ｃＷ’がｃＨ’≧ｒｈ及びｃＷ’≧ｒｗを満たす場合には、図９（ｂ−２）に示すように、撮影画像ＰＩＣから縮小された矩形領域Ｐ１０’が拡大表示画面Ａ１２に表示すべき顔画像として切り出されて、顔プレビュー画面の顔拡大表示画面Ａ１２に拡大表示される。
【０１０２】
一方、ｃＨ’＜ｒｈ又はｃＷ’＜ｒｗの場合には、図９（ｃ−１）に示すように、撮影画像ＰＩＣに収まり、且つ、矩形領域Ｐ１０’がｃＨ’≧ｒｈ及びｃＷ’≧ｒｗを満たすように拡大される。そして、図９（ｃ−２）に示すように、この拡大された矩形領域Ｐ１０”が拡大表示画面Ａ１２に表示すべき顔画像として撮影画像ＰＩＣから切り出されて、顔プレビュー画面の顔拡大表示画面Ａ１２に拡大表示される。なお、図９（ｃ−１）及び図９（ｃ−２）に示す例では、この拡大された矩形領域Ｐ１０”の中心Ｃ１は顔領域faceの中心Ｃとは必ずしも一致しない。
【０１０３】
また、図１０に示すように、ｃＨ＞ｐＨ又はｃＷ＞ｐＷの場合、即ち、顔領域faceが撮影画像ＰＩＣに対して非常に大きい場合には、顔領域faceが拡大表示画面Ａ１２に表示すべき顔画像として撮影画像ＰＩＣから切り出されて、顔プレビュー画面の顔拡大表示画面Ａ１２に拡大表示される。
【０１０４】
また、図１１に示すように、ｃＨ＜ｒｈ又はｃＷ＜ｒｗの場合、即ち、矩形領域Ｐ１０のサイズ（画素数）が顔拡大表示画面Ａ１２に対して小さい場合には、ｃＨ≧ｒｈ及びｃＷ≧ｒｗを満たすように矩形領域Ｐ１０が顔領域faceの下方に向けて拡大され、拡大された矩形領域Ｐ１０’が拡大表示画面Ａ１２に表示すべき顔画像として撮影画像ＰＩＣから切り出されて、顔プレビュー画面の顔拡大表示画面Ａ１２に拡大表示される。なお、顔の上下の向きは、例えば、顔領域face内の目（黒色）や眉、鼻、口の位置により判断される。また、矩形領域Ｐ１０を拡大する際に、矩形領域Ｐ１０が撮影画像ＰＩＣの端部に到達した場合には、当該端部とは逆方向に矩形領域Ｐ１０が拡大される。
【０１０５】
即ち、顔領域faceが十分大きい場合には顔の中央部に当たる顔領域faceが切り出され、顔領域faceが小さい場合には顔の下側を含む領域（例えば、バストショット（胸から上）又はニーショット（膝から上））が切り出されて、顔プレビュー画面の顔拡大表示画面Ａ１２に拡大表示される。
【０１０６】
図１２は、顔領域の拡大表示処理を示すフローチャートである。まず、拡大表示用に選択された顔領域faceの顔情報（中心Ｃの座標（ｘ，ｙ）、ｋＨ、ｋＷ）が取得され（ステップＳ６０）、パラメータｍａｇがデフォルトの値３．０に設定される（ステップＳ６２）。そして、ＣＨ（＝ｋＨ×ｍａｇ）及びＣＷ（＝ｋＷ×ｍａｇ）の値が算出される（ステップＳ６４）。
【０１０７】
次に、条件２を満たし（ステップＳ６６のＹｅｓ）、且つ、条件１を満たす場合（ステップＳ７０のＹｅｓ）、即ち、図８に示したように、点Ｃ（ｘ，ｙ）を中心とする高さｃＨ、幅ｃＷの矩形領域Ｐ１０が撮影画像ＰＩＣ内に収まっており、矩形領域Ｐ１０の高さｃＨ及び幅ｃＷ（画素数）がそれぞれ顔拡大表示画面Ａ１２の高さｒｈ及び幅ｒｗ以上の場合には、点Ｃ（ｘ，ｙ）を中心とする高さｃＨ、幅ｃＷの矩形領域Ｐ１０が撮影画像ＰＩＣから切り出されて、顔プレビュー画面の顔拡大表示画面Ａ１２に拡大表示される（ステップＳ７４）。
【０１０８】
一方、条件２を満たさない場合（ステップＳ６６のＮｏ）、即ち、矩形領域Ｐ１０が撮影画像ＰＩＣからはみ出してしまう場合には、パラメータｍａｇの値を小さくすることにより、矩形領域Ｐ１０が点Ｃ（ｘ，ｙ）を中心として撮影画像ＰＩＣに収まるように縮小される（ステップＳ６８）。そして、条件２を満たさず（ステップＳ６６のＮｏ）、条件１を満たす場合には（ステップＳ７０のＹｅｓ）、縮小された矩形領域Ｐ１０’が撮影画像ＰＩＣから切り出されて、顔プレビュー画面の顔拡大表示画面Ａ１２に拡大表示される（ステップＳ７４、図９（ｂ−１）及び図９（ｂ−２）参照）。
【０１０９】
一方、条件２と条件１をともに満たさない場合には（ステップＳ６６のＮｏ、ステップＳ７０のＹｅｓ）、矩形領域Ｐ１０’の高さｃＨ’及び幅ｃＷ’がｃＨ’≧ｒｈ、ｃＷ’≧ｒｗを満たすようにｍａｇの値が変更されて、矩形領域Ｐ１０’が拡大される（ステップＳ７２）。そして、この拡大された矩形領域Ｐ１０”が撮影画像ＰＩＣから切り出されて、顔プレビュー画面の顔拡大表示画面Ａ１２に拡大表示される（ステップＳ７４、図９（ｃ−１）、図９（ｃ−２）又は図１０参照）。この場合、拡大された矩形領域Ｐ１０”の中心Ｃ１は顔領域faceの中心Ｃとは必ずしも一致しない。
【０１１０】
一方、条件２を満たし（ステップＳ６６のＹｅｓ）、且つ、条件１を満たさない場合（ステップＳ７０のＮｏ）、条件１を満たすようにパラメータｍａｇが変更されて矩形領域Ｐ１０のサイズ、中心座標が変更される（ステップＳ７２）。そして、変更された矩形領域Ｐ１０’が撮影画像ＰＩＣから切り出されて、顔プレビュー画面の顔拡大表示画面Ａ１２に拡大表示される（ステップＳ７４、例えば、図１１参照）。
【０１１１】
本実施形態によれば、拡大表示する領域の高さ及び幅方向の画素数がそれぞれ顔拡大表示画面Ａ１２の高さ及び幅方向の画素数以上になるようにすることにより（条件１）、顔領域の拡大表示でフォーカスや露出の具合、被写体の人物の表情を確認する際に、液晶モニタ３０の解像度を最大限に活用することができる。例えば、撮影画像ＰＩＣ内の顔領域faceが顔拡大表示画面Ａ１２と比べて小さい場合に、画素の補間等を行って拡大表示すると、拡大表示がぼけてしまい、フォーカス等の確認が困難になるおそれがある。本実施形態によればこれを回避できる。
【０１１２】
なお、矩形領域をズームレバー３２により拡大表示するときに、顔拡大表示画面Ａ１２のサイズに応じてズーム倍率の上限値を設定し、顔画像画素の補間を行わないようにしてもよい。
【０１１３】
また、本実施形態では、例えば、条件１をｒｈ／ｎ≦ｃＨ＜ｐＨ，ｒｗ／ｎ≦ｃＷ＜ｐＷのようにして、顔領域を顔拡大表示画面Ａ１２に合わせて拡大表示するときに画素の補間の許容範囲を設定可能にしてもよい。
【０１１４】
［第２の実施形態］
次に、本発明の第２の実施形態について説明する。図１３は本発明の第２の実施形態に係る撮影装置の背面の外観を示す図であり、図１４はその内部構成を示すブロック図である。なお、以下の説明において、上記第１の実施形態と同様の構成については同一の符号を付して説明を省略する。
【０１１５】
図１３及び図１４に示すように、本実施形態の撮影装置１０は、顔検出制御ボタン４６に代えて露出補正／顔検出制御ボタン１００を備えている。露出補正／顔検出制御ボタン１００は、撮影モード時に露出補正を行うためのボタンとして機能し、また、顔検出のオン／オフを設定するためのボタンとしても機能する。即ち、撮影モード時に露出補正／顔検出制御ボタン１００を押圧操作すると、露出補正用の目盛が液晶モニタ３０に表示され、左ボタン４２Ｌ及び右ボタン４２Ｒにより露出の補正が可能になる。また、撮影モード時に露出補正／顔検出制御ボタン１００を複数回押下することにより、顔検出のオン／オフの設定が可能になる。撮影モード時において、顔検出がオンに設定されると、液晶モニタ３０に顔検出がオンに設定されていることを示すアイコン（以下の説明では、顔アイコンと記載する）が表示される。なお、この顔アイコンは、液晶モニタ３０の左上等の画角の確認等の邪魔にならない位置に配置されるのが好ましい。露出補正／顔検出制御ボタン１００は、画像の撮影直後のプレビュー表示時及び再生モード時には、画像中の顔を選択したり、顔プレビュー表示画面を終了して次の画像撮影に移行するためのボタンとして機能する。なお、プレビュー表示時には、露出の補正機能は無効化される。
【０１１６】
［撮影モードの変更処理］
次に、本実施形態の撮影装置において、撮影モードの変更時に顔検出のオン／オフを設定する処理について、図１５のフローチャートを参照して説明する。まず、撮影モード時において、モードダイアル２６が操作されて撮影モードが変更されると、ＣＰＵ５０によりモードダイアル２６の設定位置が検出され、顔検出が有効なモードであるかどうかが判断される（ステップＳ８０）。ステップＳ８０では、例えば、モードダイアル２６によりシーンポジションモードに設定されており、水中撮影モードのように顔検出が困難な撮影モード、花等を接写するための接写モード、又はテキストをＯＣＲで認識するためのテキスト文章撮影モードに設定されている場合には顔検出が無効な撮影モードであると判断されて（ステップＳ８０のＮｏ）、顔検出のオン／オフの設定に関わらず撮影後の顔検出処理及び顔プレビュー画面の表示が無効化され、液晶モニタ３０上の顔アイコンが消去される（ステップＳ８２）。
【０１１７】
ステップＳ８０において、顔検出が有効な撮影モード（例えば、オート撮影モード、マニュアル撮影モード又は動画撮影モード）と判断された場合には（ステップＳ８０のＹｅｓ）、次に顔検出の設定のオン／オフが判断される（ステップＳ８４）。そして、露出補正／顔検出制御ボタン１００により顔検出がオンに設定された場合には（ステップＳ８４のＹｅｓ）、図１６（ａ）に示すように、顔検出がオンに設定されていることを示す顔アイコンＭオンが液晶モニタ３０に表示される（ステップＳ８６）。顔アイコンＭオンが表示されているときに画像が撮影されると、上記第１の実施形態と同様、撮影画像から被写体の人物の顔が検出されて顔プレビュー画面が表示され、顔の拡大表示を閲覧可能になる。
【０１１８】
一方、顔検出がオフに設定された場合には（ステップＳ８４のＮｏ）、図１６（ｂ）に示すように、顔検出がオフに設定されていることを示す顔アイコンＭオフが液晶モニタ３０に表示される（ステップＳ８８）。顔アイコンＭオフが表示されているときに画像が撮影されると、通常のプレビュー表示が行われる。
【０１１９】
なお、本実施形態では、露出補正ボタンと顔検出制御ボタンとを兼用するようにしたが、例えば、ＩＳＯ感度を調整するための感度調整ボタンや、手振れ軽減モードに遷移するための手振れ軽減モード遷移ボタン等の他のボタンと顔検出制御ボタンとを兼用するようにしてもよい。また、顔検出が有効な撮影モード時又はプレビュー表示時に無効化されるボタンを顔検出制御ボタンと兼用するようにしてもよい。
【０１２０】
本実施形態によれば、撮影モード時において顔の検出処理のオン／オフの切り替えや、顔プレビュー画面からスルームービー画への切り替えを行うための専用の操作部材を他の操作部材と兼用することにより、撮影装置１０を構成する操作部材の個数を減らして操作部材の構成を簡略化できるので、顔検出の操作を容易にすることができる。
【０１２１】
また、本実施形態によれば、顔検出処理が有効な撮影モード時にのみ顔検出処理を行うようにすることができる。更に、本実施形態によれば、顔検出のオン／オフを示す顔アイコンを設け、顔検出が無効な撮影モードの場合には、顔アイコンが液晶モニタ３０に表示されないようにすることにより、顔検出が有効な撮影モードかどうかを確認することができる。これにより、顔検出処理の確認が容易になる。
【０１２２】
なお、本発明の撮影装置は、例えば、携帯電話や携帯情報端末（ＰＤＡ）、携帯フォトプレーヤ、パーソナルコンピュータ等の画像を撮影して再生表示する機能を有する装置に適用することができる。
【図面の簡単な説明】
【０１２３】
【図１】本発明の第１の実施形態に係る撮影装置の外観を示す図
【図２】本発明の第１の実施形態に係る撮影装置の内部構成を示すブロック図
【図３】撮影した画像から顔を検出してプレビュー表示を行う処理を示すフローチャート
【図４】顔プレビュー画面の構成例を示す図
【図５】顔プレビュー画面の別の構成例を示す図
【図６】顔検出処理及び顔プレビュー表示処理の別の実施形態を示すフローチャート
【図７】顔プレビュー画面の構成例を示す図
【図８】撮影画像ＰＩＣから顔領域を切り出す方法を示す説明図
【図９】撮影画像ＰＩＣから顔領域を切り出す方法を示す説明図
【図１０】撮影画像ＰＩＣから顔領域を切り出す方法を示す説明図
【図１１】撮影画像ＰＩＣから顔領域を切り出す方法を示す説明図
【図１２】顔領域の拡大表示処理を示すフローチャート
【図１３】本発明の第２の実施形態に係る撮影装置の背面の外観を示す図
【図１４】本発明の第２の実施形態に係る撮影装置の内部構成を示すブロック図
【図１５】撮影モードの変更時に顔検出のオン／オフを設定する処理を示すフローチャート
【図１６】顔アイコンの構成例を示す図
【符号の説明】
【０１２４】
１０…撮影装置、１２…カメラボディ、１４…撮影レンズ、１６…ストロボ、１８…ＡＦ補助光ランプ、２０…セルフタイマーランプ、２２…スピーカ、２４…レリーズボタン、２６…モードダイアル、２８…電源ボタン、３０…液晶モニタ、３２…ズームレバー、３４…インジケータランプ、３６…再生ボタン、３８…ファンクションボタン、４０…ＯＫ／ＭＥＮＵボタン、４２…十字ボタン、４４…ＤＩＳＰ／ＢＡＣＫボタン、４６…顔検出制御ボタン、５０…中央処理装置（ＣＰＵ）、５２…バス（ＢＵＳ）、５４…フラッシュＲＯＭ、５６…ＲＡＭ、５８…操作部、６０…記録メディア、６２…メディア制御回路、６４…光学系、６４Ａ…光学系駆動部、６６…撮像信号処理部、６８…ズームレンズ、６８Ａ…ズーム制御部、７０…フォーカスレンズ、７０Ａ…フォーカス制御部、７２…絞り兼用メカシャッタ、７２Ａ…絞り制御部、７４…ＣＣＤ、７６…アナログ信号処理部、７８…Ａ／Ｄ変換器（ＡＤＣ）、８０…デジタル信号処理部、８２…ビデオエンコーダ、８４…ＡＦ検出回路、８６…ＡＥ・ＡＷＢ検出回路、８８…ストロボ制御回路、９０…圧縮伸張処理回路、９２…顔検出回路、９４…セルフタイマーランプ制御回路、１００…露出補正／顔検出制御ボタン
【図１】
2008028959.tif 000003
【図２】
2008028959.tif 000004
【図３】
2008028959.tif 000005
【図４】
2008028959.tif 000006
【図５】
2008028959.tif 000007
【図６】
2008028959.tif 000008
【図７】
2008028959.tif 000009
【図８】
2008028959.tif 000010
【図９】
2008028959.tif 000011
【図１０】
2008028959.tif 000012
【図１１】
2008028959.tif 000013
【図１２】
2008028959.tif 000014
【図１３】
2008028959.tif 000015
【図１４】
2008028959.tif 000016
【図１５】
2008028959.tif 000017
【図１６】
2008028959.tif 000018